(57)【要約】      （修正有）【課題】一般消費者がよく使用する家電にICタグ/ICカード機能を組み込むことにより、容易にICタグ/ICカード情報の確認や、付属機能の実行、新規機能の追加をできるようにする。【解決手段】ICタグまたはICカード内のデータを記憶する記憶手段と相互通信する通信手段と家電内の記憶する記憶手段、記憶した内容を表示する表示手段、解析する解析手段、解析した内容を実行する制御手段、および外部出力手段、編集し再度記憶手段に格納しなおす編集手段、この内容をICタグまたはICカード側に送り記憶手段に再度記憶する記憶手段、また家電側で新しいデータを定義し、ICタグまたはICカード側に送信する送信手段、さらにそのデータをICタグまたはICカード側の記憶手段に記憶する記憶手段を含む。【選択図】図１
2006302008.tif 000002
【特許請求の範囲】
【請求項１】
ICタグ/ICカードの読み込み、または書き込み、またはその両方に対応した家電
【発明の詳細な説明】
【技術分野】
【０００１】
本発明は、ICタグ/ICカードの内容を一般の消費者が容易に確認できるようにするために身近な家電で実現するICタグ/ICカード対応家電に関するものである。
【背景技術】
【０００２】
ICタグ/ICカードの情報は、専用端末か、またはパソコン＋専用端末で読み取り・書き込みで読み込み、または書き込みが可能。
【発明の開示】
【発明が解決しようとする課題】
【０００３】
現状のICタグ/ICカードは専用端末かパソコンにICタグ/ICカード専用読み取り・書き込み端末を装着したものでないとICタグ/ICカードの情報を参照することができない。これらの機器は特定のメーカーが特定の販路で提供しており、一般消費者が簡単に手に入れることはできない。また操作するにも専門知識が必要になる。このため、たとえばICタグやICカード内の賞味期限や生産者、生産流通経路などの一番必要で知りたい情報を、一般消費者が簡単に参照できる手段がない。
【課題を解決するための手段】
【０００４】
本発明は、一般消費者がよく使用する家電にICタグ/ICカード機能を組み込むことにより、容易にICタグ/ICカード情報の確認や、付属機能の実行、新規機能の追加をできるようにするものである。
【０００５】
一般消費者がよく使用する家電にICタグ/ICカード機能を組み込んだものを総称して、以下、ICタグ/ICカード対応家電と定義し、実施例１にその特徴を記述する。
【発明の効果】
【０００６】
本発明の対応をしたICタグ/ICカード対応家電にICタグ/ICカードを近づけるだけで賞味期限、生産流通経路などの情報をすぐに表示できるため、容易にICタグ/ICカード内の情報が確認できる。またICタグ/ICカード対応家電の付属機能の実行、新規機能の追加なども容易に可能になる。
【発明を実施するための最良の形態】
【０００７】
以下、本発明の実施の形態を図に基づいて説明する。図１はICタグ/ICカード部がICタグ/ICカード対応家電の本体に内蔵されている場合の構成図である。各ICタグ/ICカード対応家電の通常操作に加え、ICタグ/ICカード情報の読込み、表示、編集、書き込み、追記をするためのICタグ/ICカードモードまたはメニューとそれに対応し実行するソフトウエアで構成される。
【０００８】
図２はICタグ/ICカード対応家電にICタグ/ICカード部が本体に内蔵されていない場合の構成図である。この場合の構成は、４０のICタグ/ICカード対応家電本体と、ICタグ/ICカード部接続制御ソフトウエア、４３の外部接続インターフェース、４８のICタグ/ICカード部で構成される。ICタグ/ICカード部の接続後の動作は0007と変わらない。
【実施例１】
【０００９】
一般消費者がよく使用する家電とは、テレビ、デジタルカメラ、HD/DVD/VHSレコーダ、HD/DVD/VHSビデオデッキ、HD/DVD/VHSビデオカメラ、ホームシアター機器、電話機、FAX、プリンタ、スキャナ、多機能プリンタ、携帯音楽プレーヤ、ラジカセ、複写機、冷蔵庫、時計、洗濯機、掃除機、食器洗い機、炊飯器、オーブンレンジ、電子レンジ、ウォーターオーブン、オーブントースター、IH調理器、ガス機器、電気コンロ、コーヒーメーカ、カーナビ、カーオーディオ、オーディオプレーヤ、地上波/BS/CS/DHVチューナー、エアコン、エアクリーナー、加湿器、除湿機、扇風機、電気暖房気、石油暖房機、ガス暖房機、照明機器、などのことである。
【００１０】
これらのICタグ/ICカード対応家電に、ICタグまたはICカード内のデータを記憶する記憶手段に対し、これと相互通信する通信手段とその内容をICタグ/ICカード対応家電内の記憶する記憶手段、この家電内の記憶手段で記憶した内容を表示する表示手段、この家電内の記憶手段で記憶した内容を解析する解析手段、この家電内の解析手段で解析した内容を実行する制御手段、および外部出力手段、この家電内の解析手段で解析した内容を編集し再度記憶手段に格納しなおす編集手段、この家電内の内容をICタグまたはICカード側に送りそのデータをICタグまたはICカード側の記憶手段に再度記憶する記憶手段、またICタグ/ICカード対応家電側で新しいデータを定義しその内容をICタグまたはICカード側に送信する送信手段、さらにそのデータをICタグまたはICカード側の記憶手段に記憶する記憶手段、の全て、またはいずれかを含むことを特徴とする。
【実施例２】
【００１１】
図１、３６の”ICタグ/ICカード部”がICタグ内のデータを記憶する記憶手段に対し、これと相互通信する通信手段とそのデータをICタグ/ICカード対応家電本体に受信する受信手段、およびその受信したデータをICタグ/ICカード対応家電本体に記憶する記憶手段、を含むことを特徴とするICタグ/ICカード対応家電。
【実施例３】
【００１２】
図１、３６の”ICタグ/ICカード部”がICタグ内のデータを記憶する記憶手段に対し、これと相互通信する通信手段と家電内の記憶手段内にあるデータを送信する送信手段、およびその送信したデータをICタグ内の記憶手段に対し再度記憶しなおす記憶手段、を含むことを特徴とするICタグ/ICカード対応家電。
【実施例４】
【００１３】
図１、３６の”ICタグ/ICカード部”がICタグ内のデータを記憶する記憶手段に対し、実施例２、および実施例３の両方を含むことを特徴とするICタグ/ICカード対応家電。
【実施例５】
【００１４】
図１、３６の”ICタグ/ICカード部”がICカード内のデータを記憶する記憶手段に対し、これと相互通信する通信手段とそのデータを家電本体に受信する受信手段、およびその受信したデータを家電本体に記憶する記憶手段、を含むことを特徴とするICカード対応家電。
【実施例６】
【００１５】
図１、３６の”ICタグ/ICカード部”がICカード内のデータを記憶する記憶手段に対し、これと相互通信する通信手段と家電内の記憶手段内にあるデータを送信する送信手段、およびその送信したデータをICタグ内の記憶手段に対し再度記憶しなおす記憶手段、を含むことを特徴とするICカード対応家電。
【実施例７】
【００１６】
図１、３６の”ICタグ/ICカード部”がICカード内のデータを記憶する記憶手段に対し、実施例6および実施例７の両方を含むことを特徴とするICカード対応家電。
【実施例８】
【００１７】
図１、３６の”ICタグ/ICカード部”が実施例２から実施例７までのいずれかの組み合わせを２つ以上合わせ持っていることを特徴とするICタグ/ICカード対応家電。
【実施例９】
【００１８】
図２、４７の”ICタグ/ICカード部”がICタグ内のデータを記憶する記憶手段に対し、これと相互通信する通信手段とそのデータを家電本体に受信する受信手段、およびその受信したデータを家電本体に記憶する記憶手段、を含むことを特徴とするICタグ/ICカード対応家電。
【実施例１０】
【００１９】
図２、４７の”ICタグ/ICカード部”がICタグ内のデータを記憶する記憶手段に対し、これと相互通信する通信手段と家電内の記憶手段内にあるデータを送信する送信手段、およびその送信したデータをICタグ内の記憶手段に対し再度記憶しなおす記憶手段、を含むことを特徴とするICタグ/ICカード対応家電。
【実施例１１】
【００２０】
図２、４７の”ICタグ/ICカード部”がICタグ内のデータを記憶する記憶手段に対し、実施例９および実施例１０の両方を含むことを特徴とするICタグ/ICカード対応家電。
【実施例１２】
【００２１】
図２、４７の”ICタグ/ICカード部”がICカード内のデータを記憶する記憶手段に対し、これと相互通信する通信手段とそのデータを家電本体に受信する受信手段、およびその受信したデータを家電本体に記憶する記憶手段、を含むことを特徴とするICカード対応家電。
【実施例１３】
【００２２】
図２、４７の”ICタグ/ICカード部”がICカード内のデータを記憶する記憶手段に対し、これと相互通信する通信手段と家電内の記憶手段内にあるデータを送信する送信手段、およびその送信したデータをICタグ内の記憶手段に対し再度記憶しなおす記憶手段、を含むこと特徴とするICカード対応家電。
【実施例１４】
【００２３】
図２、４７の”ICタグ/ICカード部”がICカード内のデータを記憶する記憶手段に対し、実施例１２および実施例１３の両方を含むことを特徴とするICカード対応家電。
【実施例１５】
【００２４】
図２、４７の”ICタグ/ICカード部”が実施例９から実施例１４までのいずれかの組み合わせを２つ以上合わせ持っていることを特徴とするICタグ/ICカード対応家電。
【実施例１６】
【００２５】
実施例９から実施例１５の記載に対し、図２、４６のインターフェースが赤外線通信などの無線による通信手段を含むことを特徴とするICタグ/ICカード対応家電。
【実施例１７】
【００２６】
実施例９から実施例１５の記載に対し、図２、４６のインターフェースがUSBなどの有線による通信手段を含むことを特徴とするICタグ/ICカード対応家電。
【実施例１８】
【００２７】
家電の起動時や、または特定の操作により、現在の家電が実施例２から実施例１７のどの特徴を有しているかを家電側の表示手段、または外部出力手段により通知する通知手段を含むこと特徴とするICタグ/ICカード対応家電。
【実施例１９】
【００２８】
実施例１８において家電側の通知手段として、実施例２から実施例１７に対応する固有のアイコン、又は図、又は写真、又はアニメーション、又は映画、又は動画、又はアバター、又はメッセージ、又はメニュー、又は文字、又は記号、又は光源の点灯点滅、又はこれらの組み合わせの表示手段を使用することにより通知する通知手段を含むこと特徴とするICタグ/ICカード対応家電。
【実施例２０】
【００２９】
実施例１８において家電側の通知手段として、実施例２から実施例１７に対応する固有の音声、又は音、又は音楽、又は振動、又はこれらの組み合わせの外部出力手段により通知する通知手段を含むこと特徴とするICタグ/ICカード対応家電。
【実施例２１】
【００３０】
実施例２から実施例１７の記載に対し、ICタグまたはICカード内の記憶手段から受信手段にてデータを受信し家電内の記憶手段に記憶できる手段を搭載した家電側にて、家電本体の記憶手段に記憶したICタグ、またはICカードのデータの内容を解析する解析手段を含むこと特徴とするICタグ/ICカード対応家電。
【実施例２２】
【００３１】
実施例２１の記載に対し、解析手段で解析したデータ、手順またはプログラムで家電本体にある各実行手段を実行する制御手段を含むこと特徴とするICタグ/ICカード対応家電。
【実施例２３】
【００３２】
実施例２１の記載に対し、解析手段で解析したデータ、手順またはプログラムを家電側の通知手段で通知し、またそれらを家電側の操作手段にて一般使用者が編集できる編集手段を含むこと特徴とするICタグ/ICカード対応家電。
【実施例２４】
【００３３】
実施例２１の記載に対し、解析手段で解析し抽出したプログラム、または手順で家電側の制御ができる制御手段を含むこと特徴とするICタグ/ICカード対応家電。
【図面の簡単な説明】
【００３４】
【図１】ICタグ/ICカード部を内蔵した家電の説明図である。
【図２】ICタグ/ICカード部が外部にある家電の説明図である。
【符号の説明】
【００３５】
３０  家電本体
３１  表示部（表示手段）
３２  操作部（操作手段）
３３  外部I/F部（外部I/F手段）
３４  制御部（制御手段）
３５  メモリ部（記憶手段）
３６  ICタグ/ICカード部（通信手段）
【００３６】
４０  家電本体
４１  表示部（表示手段）
４２  操作部（操作手段）
４３  外部I/F部（外部I/F手段）
４４  制御部（制御手段）
４５  メモリ部（記憶手段）
４６  通信手段
４７  ICタグ/ICカード部
【図１】
2006302008.tif 000003
【図２】
2006302008.tif 000004